(57)【要約】【課題】コストを抑えて、盗難時の通報を行うことができるネットワーク家電製品及びテレビジョン受像機を提供する。【解決手段】テレビジョン受像機に、ユーザのパスワード及び連絡先端末の連絡先情報を記憶するシステムメモリ１１と、切断情報を記憶するＥＥＰＲＯＭと、電源投入時、ＣＰＵに、ＥＥＰＲＯＭに切断情報が記憶されているか否かを判断し、切断情報が記憶されていると判断した場合に、ネットワークに接続されているか否かを判断させる接続判断プログラム１１Ｅと、ネットワークに接続されていると判断した場合に、連絡先端末に盗難確認情報を送信させる送信プログラム１１Ｆと、連絡先端末から送信されるパスワードとシステムメモリ１１に記憶されたパスワードとを照合して、盗難されたか否かを確認させる盗難確認プログラム１１Ｇと、盗難されたと確認した場合に、連絡先端末に所定の盗難情報を送信させる通報プログラム１１Ｉと、を備えた。【選択図】図３
2007081669.tif 000002
【特許請求の範囲】
【請求項１】
ネットワークに接続されるテレビジョン受像機において、
ユーザの認証情報及び連絡先端末の連絡先情報を記憶する記憶手段と、
電源が切断された際に、当該切断情報を記憶する切断情報記憶手段と、
電源投入時、前記切断情報記憶手段に前記切断情報が記憶されているか否かを判断して、前記切断情報記憶手段に前記切断情報が記憶されていると判断した場合に、ネットワークに接続されているか否かを判断する接続判断手段と、
前記接続判断手段により、ネットワークに接続されていると判断された場合に、前記記憶手段に記憶されている連絡先情報を用いて、前記連絡先端末に盗難確認情報を送信する送信手段と、
前記盗難確認情報の送信に基づいて前記連絡先端末から送信される認証情報と前記記憶手段に記憶された認証情報とを照合して、盗難されたか否かを確認する盗難確認手段と、
前記盗難確認手段により、盗難されたと確認された場合に、前記連絡先端末に所定の盗難情報を送信する通報手段と、
認証情報を入力する入力手段と、
前記接続判断手段により、ネットワークに接続されていないと判断された場合に、前記入力手段により入力された認証情報と前記記憶手段に記憶された認証情報とを照合して、ユーザ認証を行い、真のユーザであるか否かを判断するユーザ認証手段と、
前記ユーザ認証手段により、真のユーザではないと判断された場合に、当該ネットワーク家電製品の動作を停止する動作停止手段と、
を備え、
前記盗難情報は、接続されたネットワークのグローバルＩＰ又は電話番号の局番を含む盗難場所を特定するための情報であることを特徴とするテレビジョン受像機。
【請求項２】
ネットワークに接続されるネットワーク家電製品において、
ユーザの認証情報及び連絡先端末の連絡先情報を記憶する記憶手段と、
電源が切断された際に、当該切断情報を記憶する切断情報記憶手段と、
電源投入時、前記切断情報記憶手段に前記切断情報が記憶されているか否かを判断して、前記切断情報記憶手段に前記切断情報が記憶されていると判断した場合に、ネットワークに接続されているか否かを判断する接続判断手段と、
前記接続判断手段により、ネットワークに接続されていると判断された場合に、前記記憶手段に記憶されている連絡先情報を用いて、前記連絡先端末に盗難確認情報を送信する送信手段と、
前記盗難確認情報の送信に基づいて前記連絡先端末から送信される認証情報と前記記憶手段に記憶された認証情報とを照合して、盗難されたか否かを確認する盗難確認手段と、
前記盗難確認手段により、盗難されたと確認された場合に、前記連絡先端末に所定の盗難情報を送信する通報手段と、
を備えることを特徴とするネットワーク家電製品。
【請求項３】
認証情報を入力する入力手段と、
前記接続判断手段により、ネットワークに接続されていないと判断された場合に、前記入力手段により入力された認証情報と前記記憶手段に記憶された認証情報とを照合して、ユーザ認証を行い、真のユーザであるか否かを判断するユーザ認証手段と、
前記ユーザ認証手段により、真のユーザではないと判断された場合に、当該ネットワーク家電製品の動作を停止する動作停止手段と、
を備えることを特徴とする請求項２に記載のネットワーク家電製品。
【請求項４】
前記盗難情報は、接続されたネットワークのグローバルＩＰ又は電話番号の局番を含む盗難場所を特定するための情報であることを特徴とする請求項２又は３に記載のネットワ
ーク家電製品。
【請求項５】
前記動作停止手段は、
前記盗難確認手段により、盗難されたと確認された場合に、当該ネットワーク家電製品の動作を停止することを特徴とする請求項２〜４の何れか一項に記載のネットワーク家電製品。
【発明の詳細な説明】
【技術分野】
【０００１】
本発明は、ネットワーク家電製品及びテレビジョン受像機に関する。
【背景技術】
【０００２】
従来、車両や貴重品の盗難を通報する装置として、様々なものが知られている。例えば、車両に設けられたＧＰＳ（Global  Positioning  System）を利用し、当該車両の位置
情報を入手し、車両の位置が変化したか、又は、所定の範囲を超えて移動したか等を判断し、車両の位置が変化したり、所定の範囲を超えて移動したと判断した場合には、通報を行う装置を備えた車両が知られている（例えば、特許文献１，２）。
【０００３】
また、貴重品等にＰＨＳ（Personal  Handy-phone  System）等の携帯端末を取り付け
ておき、当該貴重品が所定の位置より移動させられた際に、通報を行うものも知られている（例えば、特許文献３）。
【０００４】
ところで、ネットワークに接続されたネットワーク家電製品が普及しており、空巣等により宅内のネットワーク家電製品等が盗難される場合もあり、このような場合になんらかの通報等がなされることが望まれている。
【特許文献１】特開２００３−１１２６０４号公報
【特許文献２】特開２００３−２４２５７８号公報
【特許文献３】特開２００２−２０８０８２号公報
【発明の開示】
【発明が解決しようとする課題】
【０００５】
しかしながら、上述のようなＧＰＳ機能やＰＨＳ機能をネットワーク家電製品等に備えることとすると、コスト高となってしまうため、現実的ではない。
【０００６】
本発明の課題は、コストを抑えて、盗難時の通報を行うことができるネットワーク家電製品及びテレビジョン受像機を提供することである。
【課題を解決するための手段】
【０００７】
請求項１に記載の発明は、ネットワークに接続されるテレビジョン受像機において、
ユーザの認証情報及び連絡先端末の連絡先情報を記憶する記憶手段と、
電源が切断された際に、当該切断情報を記憶する切断情報記憶手段と、
電源投入時、前記切断情報記憶手段に前記切断情報が記憶されているか否かを判断して、前記切断情報記憶手段に前記切断情報が記憶されていると判断した場合に、ネットワークに接続されているか否かを判断する接続判断手段と、
前記接続判断手段により、ネットワークに接続されていると判断された場合に、前記記憶手段に記憶されている連絡先情報を用いて、前記連絡先端末に盗難確認情報を送信する送信手段と、
前記盗難確認情報の送信に基づいて前記連絡先端末から送信される認証情報と前記記憶手段に記憶された認証情報とを照合して、盗難されたか否かを確認する盗難確認手段と、
前記盗難確認手段により、盗難されたと確認された場合に、前記連絡先端末に所定の盗難情報を送信する通報手段と、
認証情報を入力する入力手段と、
前記接続判断手段により、ネットワークに接続されていないと判断された場合に、前記入力手段により入力された認証情報と前記記憶手段に記憶された認証情報とを照合して、ユーザ認証を行い、真のユーザであるか否かを判断するユーザ認証手段と、
前記ユーザ認証手段により、真のユーザではないと判断された場合に、当該ネットワーク家電製品の動作を停止する動作停止手段と、
を備え、
前記盗難情報は、接続されたネットワークのグローバルＩＰ又は電話番号の局番を含む盗難場所を特定するための情報であることを特徴としている。
【０００８】
請求項２に記載の発明は、ネットワークに接続されるネットワーク家電製品において、
ユーザの認証情報及び連絡先端末の連絡先情報を記憶する記憶手段と、
電源が切断された際に、当該切断情報を記憶する切断情報記憶手段と、
電源投入時、前記切断情報記憶手段に前記切断情報が記憶されているか否かを判断して、前記切断情報記憶手段に前記切断情報が記憶されていると判断した場合に、ネットワークに接続されているか否かを判断する接続判断手段と、
前記接続判断手段により、ネットワークに接続されていると判断された場合に、前記記憶手段に記憶されている連絡先情報を用いて、前記連絡先端末に盗難確認情報を送信する送信手段と、
前記盗難確認情報の送信に基づいて前記連絡先端末から送信される認証情報と前記記憶手段に記憶された認証情報とを照合して、盗難されたか否かを確認する盗難確認手段と、
前記盗難確認手段により、盗難されたと確認された場合に、前記連絡先端末に所定の盗難情報を送信する通報手段と、
を備えることを特徴としている。
【０００９】
請求項３に記載の発明は、請求項２記載のネットワーク家電製品において、
認証情報を入力する入力手段と、
前記接続判断手段により、ネットワークに接続されていないと判断された場合に、前記入力手段により入力された認証情報と前記記憶手段に記憶された認証情報とを照合して、ユーザ認証を行い、真のユーザであるか否かを判断するユーザ認証手段と、
前記ユーザ認証手段により、真のユーザではないと判断された場合に、当該ネットワーク家電製品の動作を停止する動作停止手段と、
を備えることを特徴としている。
【００１０】
請求項４に記載の発明は、請求項２又は３に記載のネットワーク家電製品において、
前記盗難情報は、接続されたネットワークのグローバルＩＰ又は電話番号の局番を含む盗難場所を特定するための情報であることを特徴としている。
【００１１】
請求項５に記載の発明は、請求項２〜４の何れか一項に記載のネットワーク家電製品において、
前記動作停止手段は、
前記盗難確認手段により、盗難されたと確認された場合に、当該ネットワーク家電製品の動作を停止することを特徴としている。
【発明の効果】
【００１２】
請求項１に記載の発明によれば、記憶手段により、ユーザの認証情報及び連絡先端末の連絡先情報が記憶され、切断情報記憶手段により、電源が切断された際に、当該切断情報が記憶され、接続判断手段により、電源投入時、切断情報記憶手段に切断情報が記憶されているか否かが判断されて、切断情報記憶手段に切断情報が記憶されていると判断された場合に、ネットワークに接続されているか否かが判断され、送信手段により、接続判断手段によって、ネットワークに接続されていると判断された場合に、記憶手段に記憶されている連絡先情報が用いられて、連絡先端末に盗難確認情報が送信され、盗難確認手段により、盗難確認情報の送信に基づいて連絡先端末から送信される認証情報と記憶手段に記憶された認証情報とが照合されて、盗難されたか否かが確認され、通報手段により、盗難確認手段によって、盗難されたと確認された場合に、連絡先端末に所定の盗難情報が送信されるので、ＧＰＳ機能やＰＨＳ機能を備えずとも、盗難された際に連絡先端末に通報がな
されるので、コストを抑えて盗難時の通報を行うことができる。
【００１３】
また、接続判断手段により、ネットワークに接続されていないと判断された場合に、ユーザ認証手段により、入力手段によって入力された認証情報と記憶手段に記憶された認証情報とが照合されて、ユーザ認証が行われ、ユーザ認証手段により、真のユーザではないと判断された場合に、動作停止手段により、当該テレビジョン受像機の動作が停止されるので、ユーザが真のユーザではない場合には、当該テレビジョン受像機を使用することができないこととなり、盗難を抑制することができる。
【００１４】
また、盗難情報は、接続されたネットワークのグローバルＩＰ又は電話番号の局番を含む盗難場所を特定するための情報であるので、ネットワーク家電製品が盗難されても、盗難場所を比較的容易に特定することができる。
【００１５】
請求項２に記載の発明によれば、記憶手段により、ユーザの認証情報及び連絡先端末の連絡先情報が記憶され、切断情報記憶手段により、電源が切断された際に、当該切断情報が記憶され、接続判断手段により、電源投入時、切断情報記憶手段に切断情報が記憶されているか否かが判断されて、切断情報記憶手段に切断情報が記憶されていると判断された場合に、ネットワークに接続されているか否かが判断され、送信手段により、接続判断手段によって、ネットワークに接続されていると判断された場合に、記憶手段に記憶されている連絡先情報が用いられて、連絡先端末に盗難確認情報が送信され、盗難確認手段により、盗難確認情報の送信に基づいて連絡先端末から送信される認証情報と記憶手段に記憶された認証情報とが照合されて、盗難されたか否かが確認され、通報手段により、盗難確認手段によって、盗難されたと確認された場合に、連絡先端末に所定の盗難情報が送信されるので、ＧＰＳ機能やＰＨＳ機能を備えずとも、盗難された際に連絡先端末に通報がなされるので、コストを抑えて盗難時の通報を行うことができる。
【００１６】
請求項３に記載の発明によれば、請求項２記載の発明と同様の効果が得られるのは勿論のこと、特に、接続判断手段により、ネットワークに接続されていないと判断された場合に、ユーザ認証手段により、入力手段によって入力された認証情報と記憶手段に記憶された認証情報とが照合されて、ユーザ認証が行われ、ユーザ認証手段により、真のユーザではないと判断された場合に、動作停止手段により、当該ネットワーク家電製品の動作が停止されるので、ユーザが真のユーザではない場合には、当該ネットワーク家電製品を使用することができないこととなり、盗難を抑制することができる。
【００１７】
請求項４に記載の発明によれば、請求項２又は３に記載の発明と同様の効果が得られるのは勿論のこと、特に、盗難情報は、接続されたネットワークのグローバルＩＰ又は電話番号の局番を含む盗難場所を特定するための情報であるので、ネットワーク家電製品が盗難されても、盗難場所を比較的容易に特定することができる。
【００１８】
請求項５に記載の発明によれば、請求項２〜４の何れか一項に記載の発明と同様の効果が得られるのは勿論のこと、特に、盗難確認手段により、盗難されたと確認された場合に、動作停止手段により、当該ネットワーク家電製品の動作が停止されるので、盗難された場合には、当該ネットワーク家電製品を使用することができないこととなり、盗難を抑制することができる。
【発明を実施するための最良の形態】
【００１９】
以下、図を参照して、本発明に係るネットワーク家電製品を実施するための最良の形態を詳細に説明する。本実施形態では、ネットワーク家電製品として、ネットワークＮに接続されたテレビジョン受像機１００を例示して説明する。
【００２０】
本発明のテレビジョン受像機１００は、図１に示すように、ネットワークＮを介してユ
ーザの連絡先端末２００に接続されている。ユーザの連絡先端末２００は、ユーザの携帯電話であってもよいし、パーソナルコンピュータであってもよい。
【００２１】
ネットワークNは、例えば、電話回線網、ＩＳＤＮ回線網、専用線、移動体通信網、通
信衛星回線、ＣＡＴＶ回線網等の各種通信回線と、それらを接続するインターネットサービスプロバイダ等を含む。
【００２２】
本発明に係るテレビジョン受像機１００は、例えば、図２に示すように、バックアップ電源１，チューナ２，電源電圧検出部３，操作部４，映像出力部５，音声出力部６，通信部７，ＥＥＰＲＯＭ（Electrically  Erasable  Programmable  Read-Only  Memory）８
，フラッシュＲＯＭ９，制御部１０，システムメモリ１１等を備えて構成される。
【００２３】
バックアップ電源１は、例えば、ＥＥＰＲＯＭ８，フラッシュＲＯＭ９，制御部１０，システムメモリ１１等と接続されており、テレビジョン受像機１００の電源（図示省略）が切断された際に起動し、ＥＥＰＲＯＭ８，フラッシュＲＯＭ９，制御部１０，システムメモリ１１等に所定期間電源を供給する。
【００２４】
チューナ２は、例えば、アナログチューナ若しくはデジタルチューナであり、アンテナ（図示省略）から入力されたテレビジョン放送波信号からユーザが所望するチャンネルの放送波信号を抽出する。
【００２５】
電源電圧検出部３は、例えば、テレビジョン受像機１００の電源の電圧を検出し、検出信号を制御部１０に入力する。
【００２６】
操作部４は、例えば、電源キー（図示省略），テンキー（図示省略）等を備えて構成され、これらのキーが押下されることに基づいて、各種操作信号やパスワード等の認証情報をテレビジョン受像機１００に入力し、入力手段として機能する。操作部４は、テレビジョン受像機１００の本体に一体として設けられてもよいし、リモートコントローラとして備えられてもよい。
【００２７】
映像出力部５は、例えば、液晶パネル等の表示部（図示省略）等を備えて構成され、チューナ２により抽出されたテレビジョン放送波信号に含まれる映像信号に基づく映像を表示部に表示する。
【００２８】
音声出力部６は、例えば、スピーカ等を備えて構成され、チューナ２により抽出されたテレビジョン放送波信号に含まれる音声信号に基づく音声を出力する。
【００２９】
通信部７は、例えば、モデム（MODEM:Modulater/DEModulater）、ターミナルアダプタ
（Terminal  Adapter）、ＬＡＮ（Local  Area  Network）アダプタ等によって構成され
、当該テレビジョン受像機１００は、通信部７を介してネットワークＮに接続されている。
【００３０】
ＥＥＰＲＯＭ８は、書き換え可能なＲＯＭであって、例えば、テレビジョン受像機１００の電源の切断が電源電圧検出部３に検出された際に、当該検出結果を切断情報として記憶し、切断情報記憶手段として機能する。
【００３１】
フラッシュＲＯＭ９は、ＥＥＰＲＯＭ８と同様に、書き換え可能なＲＯＭである。電源電圧検出部３によって検出された電源切断時の検出結果は、当該フラッシュＲＯＭ９に記憶されてもよい。
【００３２】
制御部１０は、例えば、ＣＰＵ（Central  Processing  Unit）１０１，ＲＡＭ（Rando
m  Access  Memory）１０２等を備えて構成され、バックアップ電源１，チューナ２，電
源電圧検出部３，操作部４，映像出力部５，音声出力部６，通信部７，ＥＥＰＲＯＭ８，フラッシュＲＯＭ９，システムメモリ１１等と接続され、テレビジョン受像機１００の各部の制御を行う。
【００３３】
ＣＰＵ１０１は、システムメモリ１１に格納された処理プログラム等を読み出して、ＲＡＭ１０２に展開して実行することにより、テレビジョン受像機１００全体の制御を行う。
【００３４】
ＲＡＭ１０２は、ＣＰＵ１０１により実行された処理プログラム等を、ＲＡＭ１０２内のプログラム格納領域に展開するとともに、入力データや上記処理プログラムが実行される際に生じる処理結果等をデータ格納領域に格納する。
【００３５】
システムメモリ１１は、例えば、プログラムやデータ等が予め記憶されている記録媒体（図示せず）を有しており、この記録媒体は、例えば、半導体メモリ等で構成されている。また、システムメモリ１１は、ＣＰＵ１０１がテレビジョン受像機１００全体を制御する機能を実現させるための各種データ，各種処理プログラム，これらプログラムの実行により処理されたデータ等を記憶する。より具体的には、システムメモリ１１は、例えば、図３に示すように、初期登録データ１１Ａ，設定条件データ１１Ｂ，通常動作制御プログラム１１Ｃ，電源切断制御プログラム１１Ｄ，接続判断プログラム１１Ｅ，送信プログラム１１Ｆ，盗難確認プログラム１１Ｇ，通報プログラム１１Ｈ，ユーザ確認プログラム１１Ｉ，動作停止プログラム１１Ｊ等を格納している。
【００３６】
初期登録データ１１Ａは、例えば、ユーザのパスワード，ユーザの携帯電話の電話番号やパーソナルコンピュータのメールアドレス等の連絡先端末２００の連絡先情報である。これらの情報は、テレビジョン受像機１００を使用するための最初の設定においてシステムメモリ１１に記憶される。初期登録データ１１Ａは、一度システムメモリ１１に記憶されると、次回からは、パスワードを入力しないと書き換えできないようになっている。システムメモリ１１は、かかる初期登録データ１１Ａを格納することにより、記憶手段として機能する。
【００３７】
設定条件データ１１Ｂは、例えば、ユーザの個人情報，地域情報，接続条件等の情報であり、テレビジョン受像機１００を使用するための設定においてシステムメモリ１１に記憶される。ユーザの個人情報は、例えば、氏名，年齢等である。地域情報は、例えば、アンテナの設定等で必要な情報であって、住所等である。接続条件は、例えば、当該テレビジョン受像機１００が電話回線によりネットワークＮに接続されている場合には、外線発振，パルス・トーンの設定条件等であり、当該テレビジョン受像機１００がＬＡＮによりネットワークＮに接続されている場合には、ＩＰアドレス，ゲートウェイ等の設定条件等である。
【００３８】
通常動作制御プログラム１１Ｃは、例えば、ＣＰＵ１０１に、操作部４から入力される操作信号に基づいてテレビジョン受像機１００の各部を制御して、通常の動作を行わせる機能を実現させるプログラムである。より具体的には、通常動作制御プログラム１１Ｃは、ＣＰＵ１０１に、例えば、チューナ２にテレビジョン放送波信号からユーザが所望するチャンネルの放送波信号を抽出させ、映像出力部５の表示部に、チューナ２により抽出された放送波信号に含まれる映像信号に基づく映像を表示させ、音声出力部６に、チューナ２により抽出された放送波信号に含まれる音声信号に基づく音声を出力させる機能を実現させるプログラムである。
【００３９】
電源切断制御プログラム１１Ｄは、例えば、ＣＰＵ１０１に、電源電圧検出部３からテ
レビジョン受像機１００の電源が切断された際の検出信号が入力されると、バックアップ電源１を制御して、ＥＥＰＲＯＭ８，フラッシュＲＯＭ９，制御部１０，システムメモリ１１等に所定時間電源を供給させ、当該検出結果を切断情報としてＥＥＰＲＯＭ８又はフラッシュＲＯＭ９に記憶させ、バックアップ電源１を切断する機能を実現させるプログラムである。
【００４０】
接続判断プログラム１１Ｅは、例えば、ＣＰＵ１０１に、電源が切断されて、再度電源が投入された際に、ＥＥＰＲＯＭ８に切断情報が記憶されているか否かを判断し、ＥＥＰＲＯＭ８に切断情報が記憶されていると判断した場合に、テレビジョン受像機１００がネットワークＮに接続されているか否かを判断する機能を実現させるプログラムである。より具体的には、接続判断プログラム１１Ｅは、ＣＰＵ１０１に、テレビジョン受像機１００が、電話回線又はＬＡＮ等を介して、ネットワークＮに接続されているか否かを判断する機能を実現させるプログラムである。ＣＰＵ１０１は、かかる接続判断プログラム１１Ｅを実行することにより、接続判断手段として機能する。
【００４１】
送信プログラム１１Ｆは、例えば、ＣＰＵ１０１に、接続判断プログラム１１Ｅを実行することにより、テレビジョン受像機１００が、電話回線又はＬＡＮ等を介して、ネットワークＮに接続されていると判断した際に、システムメモリ１１に初期登録データ１１Ａとして記憶されている連絡先情報を用いて、連絡先端末２００に盗難確認情報を送信する機能を実現させるプログラムである。
【００４２】
より具体的には、送信プログラム１１Ｆは、ＣＰＵ１０１に、テレビジョン受像機１００がＬＡＮを介してネットワークＮに接続されていると判断した場合に、通信部７を制御して、システムメモリ１１に初期登録データ１１Ａとして記憶されているメールアドレスに、パスワードの質問及びテレビジョン受像機１００が盗難されたか否かの質問を記載したメールを送信させる機能を実現させるプログラムである。また、送信プログラム１１Ｆは、ＣＰＵ１０１に、テレビジョン受像機１００が電話回線を介してネットワークＮに接続されていると判断した場合に、通信部７を制御して、システムメモリ１１に初期登録データ１１Ａとして記憶されているユーザの携帯電話の電話番号に電話をかけさせ、音声などによりパスワードの質問を行う機能を実現させるプログラムである。
【００４３】
ＣＰＵ１０１は、かかる送信プログラム１１Ｆを実行することにより、送信手段として機能する。
【００４４】
盗難確認プログラム１１Ｇは、例えば、ＣＰＵ１０１に、盗難確認情報の送信に基づいて連絡先端末２００から送信されるパスワードとシステムメモリ１１に初期登録データ１１Ａとして記憶されているパスワードとを照合して、盗難されたか否かを確認する機能を実現させるプログラムである。
【００４５】
より具体的には、盗難確認プログラム１１Ｇは、ＣＰＵ１０１に、テレビジョン受像機１００がＬＡＮを介してネットワークＮに接続されている場合には、返信メールに記載されたパスワードがシステムメモリ１１に初期登録データ１１Ａとして記憶されているパスワードと一致するか否かを判断し、一致しない場合には、テレビジョン受像機１００が盗難されたと確認し、返信メールに記載されたパスワードがシステムメモリ１１に記憶されているパスワードと一致する場合には、返信メールの内容から、テレビジョン受像機１００が盗難されたか否かを確認する機能を実現させるプログラムである。
【００４６】
また、盗難確認プログラム１１Ｇは、ＣＰＵ１０１に、テレビジョン受像機１００が電話回線を介してネットワークＮに接続されている場合には、連絡先端末２００から入力されるパスワードが、システムメモリ１１に初期登録データ１１Ａとして記憶されているパスワードと一致するか否かを判断し、一致しない場合には、テレビジョン受像機１００が盗難されたと確認し、連絡先端末２００から入力されたパスワードがシステムメモリ１１に記憶されているパスワードと一致する場合には、音声等により盗難か否かの質問を行い、テレビジョン受像機１００が盗難されたか否かを確認する機能を実現させるプログラム
である。
【００４７】
ＣＰＵ１０１は、かかる盗難確認プログラム１１Ｇを実行することにより盗難確認手段として機能する。
【００４８】
通報プログラム１１Ｈは、例えば、ＣＰＵ１０１に、盗難確認プログラム１１Ｇを実行することにより、テレビジョン受像機１００が盗難されたと判断した場合に、初期登録データ１１Ａに記憶された連絡先端末２００情報に基づいて、連絡先端末２００に盗難情報を送信することにより、通報する機能を実現させるプログラムである。ここで、盗難情報とは、盗難場所を特定するための情報であって、テレビジョン受像機１００がＬＡＮを介してネットワークＮに接続されている場合には、グローバルＩＰアドレス，放送局情報等であり、テレビジョン受像機１００が電話回線を介してネットワークＮに接続されている場合には、電話番号の局番等である。ＣＰＵ１０１は、かかる通報プログラム１１Ｈを実行することにより、通報手段として機能する。
【００４９】
ユーザ確認プログラム１１Ｉは、例えば、ＣＰＵ１０１に、テレビジョン受像機１００がネットワークＮに接続されていないと判断した場合に、操作部４から入力されたパスワードとシステムメモリ１１に初期登録データ１１Ａとして記憶されているパスワードとを照合して、ユーザ認証を行い、真のユーザであるか否かを判断する機能を実現させるプログラムである。
【００５０】
より具体的には、ユーザ確認プログラム１１Ｉは、例えば、ＣＰＵ１０１に、テレビジョン受像機１００がネットワークＮに接続されていないと判断した場合に、当該テレビジョン受像機１００を制御して音声出力などによりパスワードの質問を行わせ、操作部４から入力されたパスワードが、システムメモリ１１に初期登録データ１１Ａとして記憶されたパスワードと一致するか否かを判断する機能を実現させるプログラムである。ＣＰＵ１０１は、かかるユーザ確認プログラム１１Ｉを実行することにより、ユーザ認証手段として機能する。
【００５１】
動作停止プログラム１１Ｊは、例えば、ＣＰＵ１０１に、テレビジョン受像機１００がネットワークＮに接続されており、且つ、盗難確認プログラム１１Ｇの実行において送信されたパスワードがシステムメモリ１１に記憶されているパスワードと一致しないと判断した場合に、当該テレビジョン受像機１００の動作を停止させる機能を実現させるプログラムである。
【００５２】
また、動作停止プログラム１１Ｊは、例えば、ＣＰＵ１０１に、テレビジョン受像機１００がネットワークＮに接続されておらず、且つ、ユーザ確認プログラム１１Ｉの実行において操作部４から入力されたパスワードがシステムメモリ１１に記憶されているパスワードと一致しないと判断した場合に、当該テレビジョン受像機１００の動作を停止させる機能を実現させるプログラムである。
【００５３】
ＣＰＵ１０１は、かかる動作停止プログラム１１Ｊを実行することにより、動作停止手段として機能する。
【００５４】
次に、上述のような構成のテレビジョン受像機１００を使用するための設定の流れの一例を図４に示すフローチャートを参照しながら説明する。
【００５５】
まず、ユーザにより、操作部４のテンキー等が押下されて、ユーザの氏名，年齢等の個人情報が入力され、システムメモリ１１に設定条件データ１１Ｂの一部として記憶される。（ステップＳ１）
次に、ユーザにより操作部４が操作されて、ユーザのパスワード，パーソナルコンピュータのメールアドレス，携帯電話の電話番号等が入力され、システムメモリ１１に初期登録データ１１Ａとして記憶される（ステップＳ２）。
【００５６】
次に、ユーザにより操作部４が操作されて、住所等の地域情報が入力され、システムメモリ１１に設定条件データ１１Ｂの一部として記憶される（ステップＳ３）。
【００５７】
次に、ユーザにより操作部４が操作されて、テレビジョン受像機１００をネットワークＮに接続するための接続条件等が入力され、システムメモリ１１に設定条件データ１１Ｂの一部として記憶される（ステップＳ４）。
【００５８】
なお、ステップＳ１〜ステップＳ４までの順序はこれに限られるものではない。
【００５９】
次に、テレビジョン受像機１００の電源切断における動作を図５に示すフローチャートを参照しながら説明する。
【００６０】
まず、テレビジョン受像機１００の電源が切断されて、電源電圧検出部３による検出信号が入力されると（ステップＳ１０１）、ＣＰＵ１０１は、電源切断制御プログラム１１Ｄを実行することにより、バックアップ電源１を制御して、ＥＥＰＲＯＭ８，フラッシュＲＯＭ９，制御部１０，システムメモリ１１等に所定時間電源を供給させる（ステップＳ１０２）。
【００６１】
次に、ＣＰＵ１０１は、電源切断制御プログラム１１Ｄの実行に基づいて、電源切断における電源電圧検出部３の検出結果を切断情報としてＥＥＰＲＯＭ８又はフラッシュＲＯＭ９に記憶させる（ステップＳ１０３）。
【００６２】
次に、ＣＰＵ１０１は、電源切断制御プログラム１１Ｄの実行に基づいて、バックアップ電源１を切断して（ステップＳ１０４）、本処理を終了する。
【００６３】
次に、テレビジョン受像機１００の電源が切断された後、再度電源が投入された際の動作を図６，図７に示すフローチャートを参照しながら説明する。
【００６４】
まず、電源が投入されると、ＣＰＵ１０１は、接続判断プログラム１１Ｅを実行することにより、ＥＥＰＲＯＭ８又はフラッシュＲＯＭ９に切断情報が記憶されているか否かを判断し、ＥＥＰＲＯＭ８又はフラッシュＲＯＭ９に切断情報が記憶されている場合には、テレビジョン受像機１００がＬＡＮを介してネットワークＮに接続されているか否かを判断する（ステップＳ２０１）。
【００６５】
ステップＳ２０１において、ＣＰＵ１０１が、テレビジョン受像機１００がＬＡＮを介してネットワークＮに接続されていないと判断した場合には（ステップＳ２０１；Ｎｏ）、ＣＰＵ１０１は、テレビジョン受像機１００が電話回線を介してネットワークＮに接続されているか否かを判断する（ステップＳ２０２）。
【００６６】
ステップＳ２０２において、ＣＰＵ１０１が、テレビジョン受像機１００が電話回線を介してネットワークＮに接続されていないと判断した場合には（ステップＳ２０２；Ｎｏ）、ＣＰＵ１０１は、ユーザ確認プログラム１１Ｉを実行することにより、当該テレビジョン受像機１００を制御して、音声出力などによりパスワードの質問を行わせる（ステップＳ２０３）。
【００６７】
次に、ＣＰＵ１０１は、操作部４から入力されたパスワードがシステムメモリ１１に初期登録データ１１Ａとして記憶されたパスワードと一致するか否かを判断する（ステップＳ２０４）。
【００６８】
ステップＳ２０４において、ＣＰＵ１０１がパスワードが一致しないと判断した場合には（ステップＳ２０４；Ｎｏ）、ステップＳ２１０へ進む。
【００６９】
ステップＳ２０４において、ＣＰＵ１０１がパスワードが一致すると判断した場合には（ステップＳ２０４；Ｙｅｓ）、ステップＳ２１３へ進む。
【００７０】
一方、ステップＳ２０２において、ＣＰＵ１０１が、テレビジョン受像機１００が電話回線によりネットワークＮに接続されていると判断した場合には（ステップＳ２０２；Ｙｅｓ）、ＣＰＵ１０１は、送信プログラム１１Ｆを実行することにより、通信部７を制御して、システムメモリ１１に初期登録データ１１Ａとして記憶された電話番号に電話をかけさせる（ステップＳ２０５）。
【００７１】
次に、ＣＰＵ１０１は、テレビジョン受像機１００を制御して、ステップＳ２０５における電話の通話において、音声出力等により、パスワードの質問を行わせる（ステップＳ２０６）。
【００７２】
次に、ＣＰＵ１０１は、盗難確認プログラム１１Ｇを実行することにより、電話のプッシュキーの押下等により入力されたパスワードがシステムメモリ１１に初期登録データ１１Ａとして記憶されたパスワードと一致するか否かを判断する（ステップＳ２０７）。
【００７３】
ステップＳ２０７において、ＣＰＵ１０１がパスワードが一致しないと判断した場合には（ステップＳ２０７；Ｎｏ）、ステップＳ２１０へ進む。
【００７４】
ステップＳ２０７において、ＣＰＵ１０１がパスワードが一致すると判断した場合には（ステップＳ２０７；Ｙｅｓ）、ステップＳ２１１へ進む。
【００７５】
一方、ステップＳ２０１において、ＣＰＵ１０１が、テレビジョン受像機１００がＬＡＮを介してネットワークＮに接続されていると判断した場合には（ステップＳ２０１；Ｙｅｓ）、ＣＰＵ１０１は、送信プログラム１１Ｆを実行することにより、通信部７を制御して、システムメモリ１１に初期登録データ１１Ａとして記憶されたメールアドレスにパスワード質問及び盗難か否かの質問を記載したメールを送信させる（ステップＳ２０８）。
【００７６】
次に、メールが返信されると、ＣＰＵ１０１は、盗難確認プログラム１１Ｇを実行することにより、返信メールに記載されたパスワードがシステムメモリ１１に初期登録データ１１Ａとして記憶されたパスワードと一致するか否かを判断する（ステップＳ２０９）。
【００７７】
ステップＳ２０９において、ＣＰＵ１０１が、パスワードが一致しないと判断した場合には（ステップＳ２０９；Ｎｏ）、ＣＰＵ１０１は、動作停止プログラム１１Ｊを実行することにより、当該テレビジョン受像機１００の動作を停止する（ステップＳ２１０）。
【００７８】
ステップＳ２０９において、ＣＰＵ１０１が、パスワードが一致すると判断した場合には（ステップＳ２０９；Ｙｅｓ）、ＣＰＵ１０１は、盗難確認プログラム１１Ｇの実行に基づいて、ステップＳ２０７又はステップＳ２０９で確認されたユーザに対して、テレビジョン受像機１００が盗難されたか否かを確認する（ステップＳ２１１）。
【００７９】
ステップＳ２１１において、ＣＰＵ１０１が、テレビジョン受像機１００が盗難されたと確認した場合には（ステップＳ２１１；Ｙｅｓ）、ＣＰＵ１０１は、通報プログラム１１Ｈを実行することにより、通信部７を制御して、盗難情報を連絡先端末２００に送信させることにより、通報を行って（ステップＳ２１２）、本処理を終了する。
【００８０】
ステップＳ２１１において、ＣＰＵ１０１が、テレビジョン受像機１００が盗難されていないと確認した場合には（ステップＳ２１１；Ｎｏ）、ＣＰＵ１０１は、ＥＥＰＲＯＭ８又はフラッシュＲＯＭ９に記憶された電源切断の検出結果を削除し（ステップＳ２１３）、本処理を終了する。
【００８１】
以上に説明した、本発明に係るテレビジョン受像機１００によれば、システムメモリ１１により、ユーザのパスワード及び連絡先端末２００の連絡先情報が初期登録データ１１Ａとして記憶され、ＥＥＰＲＯＭ８により、電源が切断された際に、当該切断情報が記憶され、ＣＰＵ１０１が接続判断プログラム１１Ｅを実行することにより、電源投入時、ＥＥＰＲＯＭ８に切断情報が記憶されているか否かが判断されて、ＥＥＰＲＯＭ８に切断情
報が記憶されていると判断された場合に、ネットワークＮに接続されているか否かが判断され、ＣＰＵ１０１が送信プログラム１１Ｆを実行することにより、ネットワークＮに接続されていると判断された場合に、システムメモリ１１に初期登録データ１１Ａとして記憶されている連絡先情報が用いられて、連絡先端末２００に盗難確認情報が送信され、ＣＰＵ１０１が盗難確認プログラム１１Ｇを実行することにより、盗難確認情報の送信に基づいて連絡先端末２００から送信されるパスワードとシステムメモリ１１に初期登録データ１１Ａとして記憶されたパスワードとが照合されて、盗難されたか否かが確認され、ＣＰＵ１０１が通報プログラム１１Ｈを実行することにより、盗難されたと確認された場合に、連絡先端末２００に所定の盗難情報が送信されるので、ＧＰＳ機能やＰＨＳ機能を備えずとも、盗難された際に連絡先端末２００に通報がなされるので、コストを抑えて盗難時の通報を行うことができる。
【００８２】
また、ＣＰＵ１０１が接続判断プログラム１１Ｅを実行することにより、ネットワークＮに接続されていないと判断された場合に、ＣＰＵ１０１がユーザ確認プログラム１１Ｉを実行することにより、操作部４から入力されたパスワードとシステムメモリ１１に初期登録データ１１Ａとして記憶されたパスワードとが照合されて、ユーザ認証が行われ、真のユーザではないと判断された場合に、ＣＰＵ１０１が動作停止プログラム１１Ｊを実行することにより、当該テレビジョン受像機１００の動作が停止されるので、ユーザが真のユーザではない場合には、当該テレビジョン受像機１００を使用することができないこととなり、盗難を抑制することができる。
【００８３】
また、盗難情報は、接続されたネットワークＮのグローバルＩＰ又は電話番号の局番を含む盗難場所を特定するための情報であるので、テレビジョン受像機１００が盗難されても、盗難場所を比較的容易に特定することができる。
【００８４】
なお、本実施形態では、ＣＰＵ１０１が盗難確認プログラム１１Ｇを実行することにより、テレビジョン受像機１００が盗難されたと判断した場合に、通報プログラム１１Ｊを実行して連絡先端末２００へ盗難情報を送信して通報を行うこととしたが、さらに、動作停止プログラム１１Ｊを実行してテレビジョン受像機１００の動作を停止させてもよい。
【図面の簡単な説明】
【００８５】
【図１】本発明に係るテレビジョン受像機のネットワークへの接続を説明する図である。
【図２】本発明に係るテレビジョン受像機の要部構成を示すブロック図である。
【図３】本発明に係るシステムメモリの要部構成を示すブロック図である。
【図４】本発明に係るテレビジョン受像機を使用するための設定の流れの一例を示すフローチャートである。
【図５】本発明に係るテレビジョン受像機の動作を示すフローチャートである。
【図６】本発明に係るテレビジョン受像機の動作を示すフローチャートである。
【図７】本発明に係るテレビジョン受像機の動作を示すフローチャートである。
【符号の説明】
【００８６】
４  操作部（入力手段）
８  ＥＥＰＲＯＭ（切断情報記憶手段）
１０  制御部
１０１  ＣＰＵ（接続判断手段，送信手段，盗難確認手段，通報手段，ユーザ認証手  段，動作停止手段）  
１１  システムメモリ（記憶手段）
１１Ａ  初期登録データ（記憶手段）
１１Ｅ  接続判断プログラム（接続判断手段）
１１Ｆ  送信プログラム（送信手段）
１１Ｇ  盗難確認プログラム（盗難確認手段）
１１Ｈ  通報プログラム（通報手段）
１１Ｉ  ユーザ確認プログラム（ユーザ認証手段）
１１Ｊ  動作停止プログラム（動作停止手段）
１００  テレビジョン受像機（ネットワーク家電製品）
２００  連絡先端末
Ｎ  ネットワーク
【図１】
2007081669.tif 000003
【図２】
2007081669.tif 000004
【図３】
2007081669.tif 000005
【図４】
2007081669.tif 000006
【図５】
2007081669.tif 000007
【図６】
2007081669.tif 000008
【図７】
2007081669.tif 000009